(57)【要約】【課題】はぜ継ぎ部を有する屋根部材に簡単に屋根設置架台を設けることができる支持金具を提供することである。【解決手段】屋根材のはぜ継ぎ部３３に固定される固定金具１と、その固定金具１に対して角度調整可能に結合された水平位置決め金具２と、その水平位置決め金具２上に突設された高さ調整可能な支持部材３と、前記水平位置決め金具２に取り付けられた水平調整ねじ４とからなり、該水平調整ねじ４は前記水平位置決め金具２に上下方向に移動可能に螺合されその下端が前記固定金具１の屈曲部７に突き当てられた構成であり、水平位置決め金具２を水平状態に保持した状態で支持部材３の高さを全部の支持金具Ａにおいて一定高さに揃えることができるようにした。【選択図】図５
2006348563.tif 000002
【特許請求の範囲】
【請求項１】
一定の勾配の付いた屋根上に固定される固定金具（１）と、その固定金具（１）に対して角度調整可能に結合された水平位置決め金具（２）と、その水平位置決め金具（２）上に設けられた高さ調整可能な支持部材（３）と、前記水平位置決め金具（２）に取り付けられた水平調整ねじ（４）とからなり、該水平調整ねじ（４）は前記水平位置決め金具（２）に対し上下方向に移動可能に螺合されその下端が前記固定金具（１）に突き当てられた屋根設置架台の支持金具。
【請求項２】
前記固定金具（１）は、上面部（５）の両端部を下方に屈曲し更にその下端を外向きに屈曲させたハット形に形成され、その上面部（５）の裏面に沿わせたクランプ金具（２１）に該上面部（５）を貫通した固定ねじ（２３）を螺合してなり、前記クランプ金具（２１）を屋根材連結部の起立したはぜ継ぎ部（３３）下端に当て、前記固定ねじ（２３）を締め付けることにより前記クランプ金具（２１）を該はぜ継ぎ部（３３）に係合させるようにした請求項１に記載の屋根設置架台の支持金具。
【請求項３】
前記クランプ金具（２１）は、前記固定金具（１）の上面部（５）に上下動自在に遊びをもって貫通された抜け止めピン（２２）により支持され、該抜け止めピン（２２）が遊びをもって該クランプ金具（２１）に貫通された請求項２に記載の屋根設置架台の支持金具。
【請求項４】
前記の高さ調整可能な支持部材（３）は、前記水平位置決め金具（２）に上向きに固定された長ナット（１４）と、その長ナット（１４）に螺合された高さ調整ねじ（１５）と、その高さ調整ねじ（１５）に固定されたブラケット（１６）とからなる請求項１から３のいずれかに記載の屋根設置架台の支持金具。
【発明の詳細な説明】
【技術分野】
【０００１】
この発明は、プランター等の緑化器材、エアコン室外機等の各種の物品を搭載する屋根設置架台の支持金具に関するものである。
【背景技術】
【０００２】
エアコン室外機を屋根上に設置するために、従来から屋根上に架台を設置することが行われている。その架台の構造は、一般に、屋根勾配の上位に水平状態に配置される上位ベース部材、これと平行に下位に配置される下位ベース部材、これらのベース部材間に設置される左右一対のアングル形部材からなり、そのアングル形部材は屋根の勾配に応じて角度調整できるように取り付けられる。上記のアングル形部材の水平部分に直接又はベース板などを介してエアコン室外機等が設置される（特許文献１）。
【特許文献１】特開２００３−１４２５６号公報
【発明の開示】
【発明が解決しようとする課題】
【０００３】
前記の屋根設置架台は、屋根の表面に配置したベース部材を固定するために、屋根を貫通させたボルトや釘を屋根基部に固定させる必要があり、据付工事が簡単にはできないとともに、雨漏りの原因ともなる不都合がある。また、ステンレス屋根のように一定間隔ではぜ継ぎ部が起立した屋根構造の場合は、はぜ継ぎ部を潰さないように配慮する必要もあり、この点からも据付工事に困難を伴う。
【０００４】
そこで、この発明は、はぜ継ぎ部のある屋根上に容易に屋根設置架台を設けることのできる支持金具を提供することを課題とする。
【課題を解決するための手段】
【０００５】
前記の課題を解決するために、この発明の屋根設置架台の支持金具においては、一定の勾配の付いた屋根上に固定される固定金具１と、その固定金具１に対して角度調整可能に結合された水平位置決め金具２と、その水平位置決め金具２上に設けられた高さ調整可能な支持部材３と、前記水平位置決め金具２に取り付けられた水平調整ねじ４とからなり、該水平調整ねじ４は前記水平位置決め金具２に対し上下方向に移動可能に螺合されその下端が前記固定金具１に突き当てられた構成を採用した。
【０００６】
前記構造の支持金具Ａは、屋根上に設置する架台の脚部となるものであり、１台の架台につき、例えば屋根勾配の上位に左右一対、下位に左右一対、合計４個用いられる。各支持金具Ａの固定金具１を屋根上に固定し、その固定金具１に組み合わせた水平位置決め金具２の水平調整ねじ４を操作して該水平位置決め金具２を水平状態に保持させる。そのうえで全部の支持金具Ａの支持部材３の高さが同一高さになるよう調整し、その支持部材３の上にベース板３６を取り付けて架台を完成する。
【０００７】
前記の固定金具１としては、上面部５の両端部を下方に屈曲し更にその下端を外向きに屈曲させたハット形に形成され、その上面部５の裏面に沿わせたクランプ金具２１に該上面部５を貫通した固定ねじ２３を螺合した構成のものが望ましい。この構成において、クランプ金具２１は屋根材連結部の起立したはぜ継ぎ部３３下端に当てられ、前記固定ねじ２３を締め付けることにより該クランプ金具２１と固定金具１の上面部５との間ではぜ継ぎ部３３を挟持させ、該固定金具１を屋根材に固定する。
【０００８】
また、前記クランプ金具２１としては、前記固定金具１の上面部５に上下動自在に遊びをもって貫通された抜け止めピン２２により支持され、該抜け止めピン２２が遊びをもって該クランプ金具２１に貫通された構成をとることが望ましい。この構成のクランプ金具２１を用いると、該クランプ金具２１が常に固定金具１に付属しているので、支持金具Ａの取り扱い、据付工事が容易に行える。
【０００９】
なお、前記の高さ調整可能な支持部材３としては、前記水平位置決め金具２に上向きに固定された長ナット１４と、その長ナット１４に螺合された高さ調整ねじ１５と、その高さ調整ねじ１５に固定されたブラケット１６とからなる構成を採ることができる。このブラケット１６は、左右一対の支持金具Ａ間に渡したバー材３４を支持する機能を有する。
【発明の効果】
【００１０】
以上のように、この発明の屋根設置架台の支持金具Ａは、架台を支持する個別の脚部となるものであり、固定金具１を屋根部材のはぜ継ぎ部３３等に固定することにより、釘やボルトを屋根基部に達するように打ち込む作業は不要である。その場合、固定金具１の裏面に沿って設けたクランプ金具２１と固定金具１の上面部５との間で屋根部材のはぜ継ぎ部３３を挟持させて該固定金具１を固定することにより、支持金具Ａを容易に屋根に固定することができ、また釘やボルトを打ち込むことがないので雨漏りの原因となることもない。
【００１１】
また、前記クランプ金具２１を抜け止めピン２２により支持することにより、クランプ金具２１が支持金具Ａから分離されることがない。このため支持金具Ａの取り扱いや据付工事が容易になる。
【００１２】
さらに、水平位置決め金具２による水平位置決め作用と、支持部材３による高さ調整作用を独立して行うことができるので、それぞれの調整作業を容易に行うことができる。
【発明を実施するための最良の形態】
【００１３】
以下、この発明の実施形態を添付図面に基づいて説明する。図１から図５に示した実施形態１の支持金具Ａは、固定金具１と、その固定金具１に対して角度調整可能に結合された水平位置決め金具２と、その水平位置決め金具２上に突設された高さ調整可能な支持部材３と、前記水平位置決め金具２取り付けられた水平調整ねじ４を主要な構成要素とする。
【００１４】
前記の固定金具１は、上面部５とその両端部を下方に屈曲して形成された左右の側板部６、６、各側板部６の下端を外向きに屈曲して形成された屈曲部７、７を有するハット形に形成されたものである。
【００１５】
また、水平位置決め金具２も、上面部８の両端部を下方に屈曲して形成された側板部９、９、各側板部９、９の下端を外向きに屈曲して形成された屈曲部１１、１１を有するハット形に形成されたものである。この水平位置決め金具２は前記の固定金具１と同様の形状をなすが、図２及び図３から明らかなように、水平位置決め金具２の上面部８の方が固定金具１の上面部５の幅より若干大きく形成され、固定金具１の外側に水平位置決め金具２が嵌合される。
【００１６】
固定金具１の外側に水平位置決め金具２を嵌合させた前記の状態において、両者の側板部６、９の後端部（屋根勾配の高い方の端部、図２参照）下端近くの部分を水平方向に貫通させた左右一対のヒンジねじ１２、１２とナット１３、１３により連結している。水平位置決め金具２はヒンジねじ１２、１２を中心として固定金具１に対して角度調整が可能となっている。なお、ヒンジねじ１２に代えてリベットを使用してもよい。
【００１７】
また、前記の水平位置決め金具２の両屈曲部１１の前端部（屋根勾配の低い方の端部）に設けた穴にナット１０、１０が固定される。各ナット１０に前記の水平調整ねじ４が螺合され、その下端が固定金具１の屈曲部７に突き当てられる。
【００１８】
前記の水平位置決め金具２の上面部８の表面に前記の支持部材３が固着される。この支持部材３は、長ナット１４と、その上端に螺合された高さ調整ねじ１５と、その高さ調整ねじ１５が挿通されたブラケット１６から成る。高さ調整ねじ１５は、上端の頭部１７の下方にナット１８が螺合され、前記のブラケット１６は頭部１７とナット１８の間に介在される。ナット１８を締め付けることにより、ブラケット１６を高さ調整ねじ１５に対し固定することができる。
【００１９】
一方、前記固定金具１の上面部５の裏面（下面）には、図１及び図４に示したように、その右半分に逆Ｌ字形の位置決め部材１９が固着される。またその位置決め部材１９と左側の側板部６との間において、上面部５の裏面に平行、かつ後述のはぜ継ぎ部３３の上下方向の折り曲げ幅ｗ（図２参照）より大きい間隔をおいて１枚の金属板からなるクランプ金具２１が自由な状態で介在される。
【００２０】
前記固定金具１の上面部５とその下方に配置されたクランプ金具２１の屋根勾配方向の下端側と上端側の２箇所において所要の遊びをもって両頭付き抜け止めピン２２、２２が上下動自在に貫通される（図１、図２参照）。通常の状態において、各抜け止めピン２２の上端頭部が上面部５に係合され、はぜ継ぎ部３３より低い位置においてその下端頭部にクランプ金具２１が係合され、該クランプ金具２１が抜け止め状態に支持される（図２参照）。
【００２１】
また、クランプ金具２１のほぼ中央部には、ナット２４を固着した穴が設けられる。また、そのナット２４に対向した固定金具１の上面部５に固定ねじ２３の挿通穴２５が設けられ、更にその挿通穴２５の上において水平位置決め金具２の上面部８に若干大径の操作穴２６が設けられる。その操作穴２６からドリルの先端を差し込んで固定ねじ２３を前記ナット２４にねじ込む操作が可能である。固定ねじ２３はその頭部が前記挿通穴２５に係止される結果、該固定ねじ２３を回転操作するとクランプ部材２１がはぜ継ぎ部３３の下端に係合するまで上昇する。
【００２２】
実施形態１の支持金具は以上のように構成され、次にこれを用いた屋根設置架台の組立て方法を説明する。
【００２３】
この場合の屋根は、図４に示したように、家屋３０の屋根基部３１上に一定幅のステンレス製の屋根部材３２が屋根勾配の方向（上下方向）に配置されるとともに、各屋根部材３２がはぜ継ぎ部３３により連結され左右方向に配列したものである。はぜ継ぎ部３３は起立状態に設けられる（図４参照）。
【００２４】
前記の支持金具Ａは、はぜ継ぎ部３３を跨いで取り付けられ、はぜ継ぎ部３３の巻締め側と反対側の面に前記位置決め部材１９を接触させることにより左右方向の位置決めを行う（図４参照）。固定金具１の両側の屈曲部７、７がはぜ継ぎ部３３の両側の屋根部材３２、３２に載る。
【００２５】
次に、操作穴２６を経て固定ねじ２３を挿入し、さらに挿通穴２５に通してその先端部をナット２４に螺合させ、ドリルを用いて固定ねじ２３を回転させる。クランプ金具２１は２本の抜け止めピン２２、２２の存在により固定ねじ２３の周りで共回りすることが防止される。これによりクランプ金具２１が次第に引上げられ、はぜ継ぎ部３３の下端に係合する（図４参照）。このようにしてクランプ金具２１がはぜ継ぎ部３３に強く押し当てられると、クランプ金具２１と上面部５とによりはぜ継ぎ部３３を強く挟持することとなり、これによって固定金具１がはぜ継ぎ部３３に強固に固定される。
【００２６】
次に、水平調整ねじ４を手動又はドリルを用いて回転させると、水平位置決め金具２がヒンジねじ１２を中心に上下するので、これによって水平位置決め金具２を水平状態に保持させる。
【００２７】
次に、高さ調整ねじ１５を操作してブラケット１６の高さを全ての支持金具Ａにおいて同じ高さとなるように調整し、左右方向に対向した支持金具Ａのブラケット１６間にバー材３４を掛け渡し、それぞれビス３５でブラケット１６に固定し、さらに上下２本のバー材３４の上にベース板３６を載せビス３７で固定することにより屋根設置架台が完成する。架台上には適宜な物品（図５の場合は緑化器材としての植木鉢３８）が設置される。
【００２８】
次に、図６及び図７に示した実施形態２は、支持金具Ａの固定金具１と水平位置決め金具２の結合構造として、前記実施形態１の場合のヒンジねじ１２に代えて、固定金具１の両側の屈曲部７において、中間部より若干後端（屋根勾配の上位側端部）に片寄った位置にナット３９を固着し、そのナット３９に対応した水平位置決め金具２の屈曲部１１に、ばね座金４１を嵌合させたボルト４２を所要の遊びをもって上下方向に貫通させ、その下端を前記のナット３９に螺合した構造を採用したものである。その他の構成は前述の実施形態１の場合と同様である。
【００２９】
この場合の水平位置決め金具２を水平状態に調整保持させるには、前述の場合と同様に水平調整ねじ４を操作して行うが、その水平調整ねじ４を操作することによって水平位置決め金具２の前端部が持ち上げられると、その後端が固定金具１の屈曲部７に接触して支点となり、次第にばね座金４１を圧縮させながら水平状態となるように調整され、そのままの状態に保持される。その他の作用も前述の場合と同様である。
【００３０】
図８及び図９に示した実施形態３の場合は、クランプ金具２１の支持構造において実施形態１のものと相違している。即ち、実施形態１の場合は、クランプ金具２１に２本の抜け止めピン２２、２２を遊嵌させ、１本の固定ねじ２３をナット２４付きの穴に螺入した構造であったが、この実施形態３の場合は、抜け止めピン２２、２２を用いることなく、これに代えて２本の固定ねじ２３をナット２４付き穴に螺入した構造を採用したものである。水平位置決め金具２の上面部８には各固定ねじ２３、２３に対応した操作穴２６、２６が設けられる。
【００３１】
クランプ金具２１は、これらの２本の固定ねじ２３、２３をそれぞれ操作穴２６、２６から操作してはぜ継ぎ部３３にクランプさせる（図８参照）。
【図面の簡単な説明】
【００３２】
【図１】実施形態１の分解斜視図
【図２】同上の使用状態におけるクランプ前の縦断側面図
【図３】同上の使用状態におけるクランプ後の縦断側面図
【図４】図３のＸ−Ｘ線の拡大断面図
【図５】実施形態１の場合の屋根設置架台の縦断側面図
【図６】実施形態２の使用状態における縦断側面図
【図７】図６の一部拡大断面図
【図８】実施形態３の使用状態におけるクランプ前の縦断側面図
【図９】同上の使用状態におけるクランプ後の縦断側面図
【符号の説明】
【００３３】
１  固定金具
２  水平位置決め金具
３  支持部材
４  水平調整ねじ
５  上面部
６  側板部
７  屈曲部
８  上面部
９  側板部
１０  ナット
１１  屈曲部
１２  ヒンジねじ
１３  ナット
１４  長ナット
１５  高さ調整ねじ
１６  ブラケット
１７  頭部
１８  ナット
１９  位置決め部材
２１  クランプ金具
２２  抜け止めピン
２３  固定ねじ
２４  ナット
２５  挿通穴
２６  操作穴
３０  家屋
３１  屋根基部
３２  ステンレス屋根部材
３３  はぜ継ぎ部
３４  バー材
３５  ビス
３６  ベース板
３７  ビス
３８  植木鉢
３９  ナット
４１  ばね座金
４２  ボルト
【図１】
2006348563.tif 000003
【図２】
2006348563.tif 000004
【図３】
2006348563.tif 000005
【図４】
2006348563.tif 000006
【図５】
2006348563.tif 000007
【図６】
2006348563.tif 000008
【図７】
2006348563.tif 000009
【図８】
2006348563.tif 000010
【図９】
2006348563.tif 000011